(57)【特許請求の範囲】
【請求項１】
遊技盤の盤面上に形成された遊技領域から遊技球を導入するための入賞口と、該入賞口から導入した遊技球を前記遊技盤の後方で排出する排出口と、前記入賞口から排出口へと続く球流路と、を有して前記遊技盤に固定される遊技機用可変入賞装置において、
前記遊技盤と平行状で左右方向に延びる回動軸線周りで回動可能に配置され、前記遊技盤に沿って起立することにより前記入賞口を閉鎖して前記球流路への遊技球の導入を困難又は不能にする閉鎖位置と、その閉鎖位置から前方側に倒伏することにより前記入賞口を開放して前記球流路への遊技球の導入を容易又は可能にする開放位置とに変位する入賞扉と、
その入賞扉に対して直接的に又は他部材を介して間接的に連係し、該入賞扉を前記閉鎖位置と開放位置との間で変位させる電気的駆動源と、を備え、
前記球流路は、前記入賞口に対応して後方に延びる上流側流路と、その上流側流路の後端に形成されて遊技球を１個ずつ通過可能な導入口から前記排出口に接続する下流側流路とを含み、
前記上流側流路は、前記導入口の前方領域にその導入口へ遊技球を転動案内するために後方側に行くほど低位となした第１転動面が形成され、その第１転動面に隣接した側方領域に左右方向においては第１転動面に行くほど低位となし、前後方向においては前方側に行くほど低位となした第２転動面が形成され、
前記導入口は、前記上流側流路の後端で左右方向に所定の間隔を隔てて少なくとも２箇所に設けられており、
その隣り合う導入口のそれぞれの前方領域に前記第１転動面が形成され、その第１転動面によって挟まれた側方領域に、左右方向において所定の中間位置が頂部となるように双方の前記第１転動面側に行くほど低位となした前記第２転動面がそれぞれ形成されていることを特徴とする遊技機用可変入賞装置。
【請求項２】
前記第２転動面は、左右方向における傾斜角度よりも、前後方向における傾斜角度の方が大きくなるように設定されている請求項１に記載の遊技機用可変入賞装置。
【請求項３】
請求項１又は２に記載の遊技機用可変入賞装置が前記遊技盤に固定されたことを特徴とする遊技機。
【発明の詳細な説明】
【技術分野】
【０００１】
本発明は、遊技機用可変入賞装置及びそれを備えた遊技機に関する。
【背景技術】
【０００２】
弾球遊技機には、アタッカーと云われる大入賞口手段を構成するための可変入賞手段（１５）を備えたものがある（例えば、特許文献１参照）。
【先行技術文献】
【特許文献】
【０００３】
【特許文献１】特開２０１０−２３４１３６号公報
【発明の概要】
【発明が解決しようとする課題】
【０００４】
この特許文献１の可変入賞手段（１５）は、可変入賞口（４０）に対応した横長矩形状の入賞ケース（２０）を備え、その入賞ケース（２０）を構成するケース体（４６）の底壁（５０ｇ）の上面には、可変入賞口（４０）に入賞した遊技球を左右方向の一端側へと案内する傾斜案内通路（５４）が形成されており、その傾斜案内通路（５４）の下流側端部には、傾斜案内通路（５４）からの遊技球を排出口（３３）へと案内する排出案内通路（５５）が奥壁（３４）を貫通して後方に突設されている。また、排出案内通路（５５）は入賞検出スイッチ（３５）を挟んでその裏側の排出口（３３）に連通している。
【０００５】
そして、傾斜案内通路（５４）は、（図９）に示されるように左右方向においては遊技球を右側へ案内するために右側が低位となるように傾斜しているが、（図７）に示されるように前後方向においては傾斜しない形態で形成されている。しかしながら、遊技機を遊技島に設置する際には、通常、僅かながらも遊技機が後方に傾斜（ネカセ）するように前後方向の設置角度が設定されて設置されることから、傾斜案内通路（５４）は、その設置角度分だけ後側が低位となるように傾斜が形成される。
【０００６】
従って、可変入賞口（４０）に入賞した遊技球が傾斜案内通路（５４）を流下する場合には、その前後方向の傾斜により後方側に誘導されて奥壁（３４）に接しながら右側へ流下して排出案内通路（５５）に誘導されることとなる。そして、排出案内通路（５５）に誘導された遊技球は、後方の排出口（３３）に向けて誘導されるが、この時、複数の遊技球が可変入賞口（４０）に入賞し、同時に傾斜案内通路（５４）を流下すると、それら複数の遊技球が奥壁（３４）に沿って並んで流下するようになり、先の遊技球が排出案内通路（５５）で後方に向けて方向転換しようとしたときに、次球の球圧の影響を受けることになる。これにより、排出案内通路（５５）を流下する遊技球の球流れが阻害され、入賞検出スイッチ（３５）の検知が遅れる虞がある。また、傾斜案内通路（５４）の排出案内通路（５５）近傍では、排出案内通路（５５）で誘導される遊技球と同方向（後方向）に向かって誘導案内されるので、奥壁（３４）などで支持される形で球詰まりが発生する虞がある。
【０００７】
本発明の課題は、上記実情に鑑みてなされたものであり、入賞口と排出口とを接続する球流路の遊技球の流れを良好とし、球詰まりを防止し、効率よく遊技球を排出口に排出することが可能な遊技機用可変入賞装置及びそれを用いた遊技機を提供することである。
【課題を解決するための手段】
【０００８】
上記課題を解決するために、本発明の遊技機用可変入賞装置は、
遊技盤の盤面上に形成された遊技領域から遊技球を導入するための入賞口と、該入賞口から導入した遊技球を遊技盤の後方で排出する排出口と、入賞口から排出口へと続く球流路と、を有して遊技盤に固定される遊技機用可変入賞装置において、
遊技盤と平行状で左右方向に延びる回動軸線周りで回動可能に配置され、遊技盤に沿って起立することにより入賞口を閉鎖して球流路への遊技球の導入を困難又は不能にする閉鎖位置と、その閉鎖位置から前方側に倒伏することにより入賞口を開放して球流路への遊技球の導入を容易又は可能にする開放位置とに変位する入賞扉と、
その入賞扉に対して直接的に又は他部材を介して間接的に連係し、該入賞扉を閉鎖位置と開放位置との間で変位させる電気的駆動源と、を備え、
球流路は、入賞口に対応して後方に延びる上流側流路と、その上流側流路の後端に形成されて遊技球を１個ずつ通過可能な導入口から排出口に接続する下流側流路とを含み、
上流側流路は、導入口の前方領域にその導入口へ遊技球を転動案内するために後方側に行くほど低位となした第１転動面が形成され、その第１転動面に隣接した側方領域に左右方向においては第１転動面に行くほど低位となし、前後方向においては前方側に行くほど低位となした第２転動面が形成され、
前記導入口は、前記上流側流路の後端で左右方向に所定の間隔を隔てて少なくとも２箇所に設けられており、
その隣り合う導入口のそれぞれの前方領域に前記第１転動面が形成され、その第１転動面によって挟まれた側方領域に、左右方向において所定の中間位置が頂部となるように双方の前記第１転動面側に行くほど低位となした前記第２転動面がそれぞれ形成されていることを特徴とする。
【０００９】
上記課題を解決するために、本発明の遊技機は、
上記遊技機用可変入賞装置が遊技盤に固定されたことを特徴とする。
【発明の効果】
【００１０】
上記本発明の遊技機用可変入賞装置及びそれを備えた遊技機によれば、入賞口から排出口へと続く球流路が、入賞口に対応して後方に延びる上流側流路と、その上流側流路の後端に形成されて遊技球を１個ずつ通過可能な導入口から排出口に接続する下流側流路とを含み構成されている。そして、上流側流路には、導入口の前方領域にその導入口へ遊技球を転動案内するために後方側に行くほど低位となした第１転動面が形成され、その第１転動面に隣接した側方領域に左右方向においては第１転動面に行くほど低位となし、前後方向においては前方側に行くほど低位となした第２転動面が形成されている。
【００１１】
これによれば、第２転動面が、左右方向では第１転動面側に行くほど、前後方向では前方に行くほど低位となして形成されているので、第２転動面で遊技球が誘導されるときには、上流側流路の後端に沿って遊技球が並んで流下することがなくなり、先の遊技球が第１転動面で後方に向けて方向転換しようとしたときに、次球の球圧の影響を受けることを抑制又回避することができる。即ち、第２転動面から第１転動面に誘導される遊技球は、前方側に誘導案内されて分散する形で第１転動面に導入されるので、第１転動面を流下する遊技球への球圧の影響を小さくすることができる。ひいては、球流路の遊技球の球の流れが良好となり、球詰まりを防止し、効率よく遊技球を排出口に排出することができ、遊技球の入賞の検出を迅速に行うことができる。また、第２転動面は、前方に行くほど低位となして形成されているので、入賞口から入賞し前方から導入されてきた遊技球に対して、球の動きに変化を生じさせ、球詰まりの発生を効果的に防止することができる。
【００１２】
また、上流側流路の第２転動面は、左右方向における傾斜角度よりも、前後方向における傾斜角度の方が大きくなるように設定する構成とすることができる。
【００１３】
これによれば、左右方向よりも前後方向における傾斜角度の方が大きくなるので、第２転動面上の遊技球は、前方に向けて大きく誘導案内されることとなり、第１転動面を流下しようとする遊技球の流下方向と前後反対方向にすることができる。そして、第２転動面上の遊技球が第１転動面上の遊技球と接触した場合には、流下しようとする方向が前後反対方向となり、第１転動面上の遊技球がそのまま導入口に向けて流下することが可能となる。即ち、第２転動面上の遊技球が第１転動面上の遊技球の前に割り込むように流下しないので、球詰まりの発生を効果的に抑制及び防止することができる。
【００１４】
また、遊技機用可変入賞装置において、導入口は、上流側流路の後端で左右方向に所定の間隔を隔てて少なくとも２箇所に設けられており、
その隣り合う導入口のそれぞれの前方領域に第１転動面が形成され、その第１転動面によって挟まれた側方領域に、左右方向において所定の中間位置が頂部となるように双方の第１転動面側に行くほど低位となした第２転動面がそれぞれ形成された構成とすることができる。
【００１５】
これによれば、導入口及び第１転動面が２箇所に設けられ、その間の側方領域に第２転動面が形成されているので、複数の遊技球が同時に入賞口から入賞しても、第２転動面が２箇所の第１転動面及び導入口に振り分けて誘導案内することができる。ひいては、第２転動面によって誘導案内する距離が短くなり、入賞から排出までの時間を短縮することができ、遊技球の入賞の検出を迅速に行うことができる。
【図面の簡単な説明】
【００１６】
【図１】本発明の実施形態に係る遊技機の一例を示す正面図である。
【図２】本発明の実施形態に係る遊技機用可変入賞装置の一例を示す斜視図であり、（ａ）は入賞扉が閉鎖位置に変位した状態を示す図であり、（ｂ）は入賞扉が開放位置に変位した状態を示す図である。
【図３】図２（ｂ）の遊技機用可変入賞装置の平面図、正面図及び底面図である。
【図４】図２（ａ）の遊技機用可変入賞装置の分解斜視図である。
【図５】遊技機用可変入賞装置の上ケースを省略した斜視図及び平面図である。
【図６】図３（ａ）のＡ−Ａ切断線における断面図である。
【図７】図３（ａ）のＢ−Ｂ切断線における断面図及び要部拡大図である。
【図８】図３（ａ）のＣ−Ｃ切断線における断面図及び要部拡大図である。
【図９】図５の平面図に対応し、球流路における遊技球の流下を説明する図である。
【図１０】図９とは別態様の遊技球の流下を説明する図である。
【発明を実施するための形態】
【００１７】
以下、本発明の実施形態について図面を参照しつつ説明する。
【実施例】
【００１８】
図１に示すように、遊技機１（以下、パチンコ機１ともいう）には、遊技盤２が設けられている。この遊技盤２の盤面２ａ（前面）には、円弧状のガイドレール２ｃが立設され、そのガイドレール２ｃによって略円形状に区画された遊技領域２ｂが形成されている。そして、遊技領域２ｂの中央には、液晶表示部３が搭載され、その液晶表示部３の下方（遊技領域２ｂの中央下部）にアタッカーと云われる遊技機用可変入賞装置４（以下、入賞装置４ともいう）が配置されている。また、液晶表示部３と入賞装置４との間には、始動入賞口を有して一対の回動翼片５ａによって形成される電動チューリップ（電チュー）５が配置されている。
【００１９】
なお、本明細書において、パチンコ機１における上下方向とは遊技盤２の盤面２ａに沿う態様で遊技球が流下する方向（鉛直方向）を意味する。また、左右方向とは遊技盤２の盤面２ａに沿う態様で上下方向に直交する方向（水平方向）を意味する。また、前後方向とは遊技盤２の盤面２ａに直交する方向（水平方向）を意味し、盤面２ａの遊技者側が前側であり、盤面２ａの奥側が後側である。
【００２０】
図１乃至図４に示すように、この入賞装置４は、遊技盤２に固定され、その遊技盤２の盤面２ａ上に形成された遊技領域２ｂから遊技球を導入するための入賞口１１と、該入賞口１１から導入した遊技球を遊技盤２の後方で排出する排出口１２と、入賞口１１から排出口１２へと続く球流路１３とを有している。
【００２１】
具体的には、入賞装置４は、遊技盤２に固定するための台板２０と、その台板２０の後面側に組付けられるケース体３０とを備えている。そして、この台板２０には、左右方向を長手方向とする矩形状をなし、厚さ方向（前後方向）に貫通した開口２１が形成されており、この開口２１が入賞口１１（大入賞口）を形成している。また、ケース体３０は、上下に分割する形態で上ケース３０Ａと下ケース３０Ｂとを含み構成され、下ケース３０Ｂに上下方向に貫通した開口３１が形成されており、開口３１が排出口１２を形成している。そして、上ケース３０Ａと下ケース３０Ｂとが組み合わさって、入賞口１１と排出口１２とを接続する球流路１３が形成されている。従って、図示しない発射装置からガイドレール２ｃに沿って打ち出された遊技球は、遊技盤２の盤面２ａ上に形成された遊技領域２ｂから入賞口１１（開口２１）を通過して入賞し、球流路１３によって遊技盤２の後方側に誘導されて排出口１２（開口３１）で排出されることとなる。なお、開口３１は、Ｌ字状に形成されており、左右方向に延びる開口領域には、後述する検出スイッチ５５が開口領域を部分的に塞ぐ形で配置され、前後方向に延びる開口領域によって排出口１２が形成されるようになっている。
【００２２】
また、入賞装置４は、入賞口１１（開口２１）に対応して台板２０又はケース体３０に組付けられる入賞扉４０を備えている。入賞扉４０は、正面視において左右方向が長手方向となる矩形状の板状形態をなし（図１参照）、台板２０の開口２１（入賞口１１）に嵌め込まれるように、その開口２１の下縁２１ｕ側で左右方向に延びる遊技盤２に平行な回動軸線Ｏ１周りで回動可能に配置されている。そして、入賞扉４０は、遊技盤２に沿って起立することにより入賞口１１を閉鎖して球流路１３への遊技球の導入を困難又は不能にする閉鎖位置（図２（ａ）参照）と、その閉鎖位置から前方側に倒伏することにより入賞口１１を開放して球流路１３への遊技球の導入を容易又は可能にする開放位置（図２（ｂ）参照）とに回動変位する。
【００２３】
具体的には、入賞扉４０は、両側部下端に回動軸線Ｏ１に沿って軸穴４１，４１が穿設されており、この軸穴４１，４１に上ケース３０Ａ及び下ケース３０Ｂの軸支部３２ａ，３２ｂに軸支された軸ピン４２，４２が挿通されて回転可能に固定されている（図５参照）。また、入賞扉４０は、両側部で後方に延出された延出部４３，４３が形成されている。遊技者側から見て左側の延出部４３には、外側に突出形成（例えば、回動軸線Ｏ１に平行状）された凸部４４が設けられている（図５（ｂ）参照）。凸部４４は、入賞扉４０が変位する際に後述する伝動部材５４の作用を受ける被作用部である。
【００２４】
また、入賞装置４は、入賞扉４０に対して直接的に又は他部材を介して間接的に連係し、入賞扉４０を閉鎖位置と開放位置との間で変位させる電気的駆動源としてのソレノイド５０を備えている。ソレノイド５０は、通電することにより励磁するコイル部を有したソレノイド本体５１と、そのソレノイド本体５１に支持されて前後方向で直線的に変位可能なプランジャ５２と、ソレノイド本体５１とプランジャ５２との間に配置され、プランジャ５２を前方側に付勢するコイルばね５３とを備えている。そして、ソレノイド５０は、そのプランジャ５２を前方側の突出位置と後方側の後退位置とでそれぞれ保持することにより、入賞扉４０を回動軸線Ｏ１周りで回動して閉鎖位置と開放位置とに変位させることとなる。
【００２５】
また、入賞装置４は、入賞扉４０とソレノイド５０との間に配置されプランジャ５２の駆動力を入賞扉４０に伝動する伝動部材５４を備えている。伝動部材５４は、入賞扉４０の回動軸線Ｏ１よりも後方においてその回動軸線Ｏ１と平行な揺動軸線Ｏ２周りで揺動可能に配置されている。即ち、伝動部材５４は、揺動軸線Ｏ２に沿って突出する揺動軸５４ａを備えている。また、伝動部材５４は、プランジャ５２のフランジ状のプランジャヘッド５２ａに連係される被作用部５４ｂと、入賞扉４０の延出部４３の凸部４４に連係してその揺動変位を入賞扉４０に伝動する作用片５４ｃとを備えている。なお、伝動部材５４の揺動軸５４ａは、上ケース３０Ａ及び下ケース３０Ｂに形成された軸支部３３ａ，３３ｂによって軸支されている。
【００２６】
また、入賞装置４は、入賞口１１で入賞した遊技球を検出する検出スイッチ５５，５５を備えている。検出スイッチ５５，５５は、上ケース３０Ａ及び下ケース３０Ｂに収容される形態で球流路１３上に配置され、該球流路１３を流下する遊技球を検出する。
【００２７】
上ケース３０Ａ及び下ケース３０Ｂは、ソレノイド５０を収容するソレノイド収容部３４ａ，３４ｂと、伝動部材５４を収容する伝動部材収容部３５ａ，３５ｂと、検出スイッチ５５，５５を収容するスイッチ収容部３６ａ，３６ｂと、を備えている。また、下ケース３０Ｂには、開放位置に変位した入賞扉４０に接続され、入賞した遊技球を検出スイッチ５５，５５へ誘導するステージ部３７が形成されている。上ケース３０Ａには、下ケース３０Ｂのステージ部３７の後端で起立するように奥壁３８が形成されている。上ケース３０Ａ及び下ケース３０Ｂには、ステージ部３７の両端部で起立（垂下）するとともに、遊技球を中央寄りに誘導案内するための誘導部３９ａ，３９ｂとが形成されている。
【００２８】
ここで、球流路１３は、入賞口１１に対応して後方に延びる上流側流路１４と、その上流側流路１４の後端に形成されて遊技球を１個ずつ通過可能な導入口１５から排出口１２に接続する下流側流路１６とを含み構成されている。即ち、上流側流路１４において、ステージ部３７が底壁を構成し、誘導部３９ａ，３９ｂが側壁を構成している。そして、誘導部３９ａ，３９ｂと奥壁３８との間の開口が導入口１５を構成する。
【００２９】
そして、図６乃至図８に示すように、ステージ部３７（上流側流路１４）は、導入口１５の前方領域にその導入口１５へ遊技球を転動案内するために後方側に行くほど低位となした第１転動面３７ａが形成され（図６参照）、その第１転動面３７ａに隣接した側方領域に左右方向においては第１転動面３７ａに行くほど低位となし（図７参照）、前後方向においては前方側に行くほど低位となした第２転動面３７ｂが形成されている（図８参照）。
【００３０】
また、導入口１５は、上流側流路１４の後端で左右方向に所定の間隔を隔てて少なくとも２箇所に設けられており、その隣り合う導入口１５のそれぞれの前方領域に第１転動面３７ａ，３７ａが形成され、その第１転動面３７ａ，３７ａによって挟まれた側方領域に、左右方向において所定の中間位置が頂部Ｔとなるように双方の第１転動面３７ａ，３７ａ側に行くほど低位となした第２転動面３７ｂ，３７ｂがそれぞれ形成されている。
【００３１】
さらに、第２転動面３７ｂは、左右方向における傾斜角度よりも、前後方向における傾斜角度の方が大きくなるように設定されている。具体的には、図７（ｂ）に示すように、正面視において左右方向に延びる仮想直線Ｘを基準として第２転動面３７ｂの左右方向における相対傾斜角度を角度αとし、図８（ｂ）に示すように、側面視において前後方向に延びる仮想直線Ｚを基準として第２転動面３７ｂの前後方向における相対傾斜角度を角度βとしたとき、角度αよりも角度βの方が大きくなるように設定されている。これにより、第２転動面３７ｂ上に遊技球が流下した場合に、その遊技球が左右方向よりも前後方向へ大きく誘導案内されることとなる。
【００３２】
なお、本実施形態の第２転動面３７ｂは、平坦面を含み形成されているが、これに限定するものではなく、湾曲面を含み形成されてもよい。その場合にも、第２転動面３７ｂ上の遊技球が左右方向よりも前後方向へ大きく誘導案内される構成が好ましい。
【００３３】
次に、図９及び図１０を用いて、入賞口１１から入賞した遊技球が上流側流路１４（ステージ部３７）において導入口１５に誘導案内される流下パターンを説明する。なお、球心から半径方向に延びる矢印（一点鎖線）は、遊技球が流下しようとする方向を示すものである。
【００３４】
図９では、上流側流路１４に２つの遊技球Ａ１，Ａ２が流下しており、遊技球Ａ１が誘導部３９ｂに接触しつつ第１転動面３７ａ上に位置するとともに、遊技球Ａ２が遊技球Ａ１及び奥壁３８に接触しつつ第２転動面３７ｂ上に位置している。従って、遊技球Ａ１は矢印が指すように後方の導入口１５に向かって流下しようとし、遊技球Ａ２は矢印が指すように前方に向かって流下しようとする。これにより、各遊技球Ａ１，Ａ２が流下する方向が反対方向となるので、球詰まりが発生することなく、遊技球を導入口１５に誘導案内することができる。また、第１転動面３７ａと第２転動面３７ｂとの境界部は、図７に示すように、段差状に形成されており、接触した遊技球Ａ１，Ａ２の球離れ（球崩れ）が一層良好となり、球詰まりの発生を効果的に防止することができる。
【００３５】
図１０では、上流側流路１４に３つの遊技球Ｂ１，Ｂ２，Ｂ３が流下しており、遊技球Ｂ１が誘導部３９ｂに接触しつつ第１転動面３７ａ上に位置するとともに、遊技球Ｂ２が遊技球Ｂ１に接触しつつ第２転動面３７ｂ及び入賞扉４０上に位置し、遊技球Ｂ３が遊技球Ｂ１及び誘導部３９ｂに接触しつつ第１転動面３７ｂ及び入賞扉４０上に位置している。従って、遊技球Ｂ１は矢印が指すように後方の導入口１５に向かって流下しようとし、遊技球Ｂ２は矢印が指すように前方に向かって流下しようとする。そして、第１転動面３７ａが誘導部３９ｂの前方領域に広がって形成されているので、遊技球Ｂ３は、遊技球Ｂ１に追従するようにして矢印が指すように後方の導入口１５に向かって流下しようとする。
【００３６】
すなわち、遊技球Ｂ２は、第２転動面３７ｂによって一度前方に誘導案内されるため（勢いが小さい場合には、第２転動面３７ｂと入賞扉４０とで形成される溝によって、側方（第１転動面３７ａ側）に誘導案内される）、遊技球Ｂ１に加え遊技球Ｂ３が遊技球Ｂ２よりも優先して導入口１５に誘導される。これにより、導入口１５の前方領域に対して、左右両方向から遊技球が連なって流下してきた場合にも、双方の遊技球の案内速度に差が生じ、球詰まりが発生することなく、遊技球を導入口１５に誘導案内される。
【００３７】
なお、本発明では遊技機の一例としてパチンコ機について説明したが、他に例えばアレンジボール遊技機、雀球遊技機等の入賞装置が設けられる遊技機に適用することができる。
【符号の説明】
【００３８】
１  パチンコ機（遊技機）
２  遊技盤
２ｂ  遊技領域
３  液晶表示部
４  入賞装置（遊技機用可変入賞装置）
５  電動チューリップ
１０  台板
１１  入賞口
１２  排出口
１３  球流路
１４  上流側流路
１５  導入口
１６  下流側流路
２０  台板
２１  開口
３０  ケース体
３０Ａ  上ケース
３０Ｂ  下ケース
３１  開口
３２ａ，３２ｂ  軸支部
３３ａ，３３ｂ  軸支部
３４ａ，３４ｂ  ソレノイド収容部
３５ａ，３５ｂ  伝動部材収容部
３６ａ，３６ｂ  スイッチ収容部
３７  ステージ部
３７ａ  第１転動面
３７ｂ  第２転動面
３８ａ，３８ｂ  奥壁
３９ａ，３９ｂ  誘導部
４０  入賞扉
４１  軸穴
４２  軸ピン
４３  延出部
４４  凸部
５０  ソレノイド（電気的駆動源）
５１  ソレノイド本体
５２  プランジャ
５２ａ  プランジャヘッド
５３  コイルばね
５４  伝動部材
５５  検出スイッチ
Ａ１，Ａ２，Ｂ１，Ｂ２，Ｂ３  遊技球
Ｏ１  回動軸線
Ｏ２  揺動軸線
【図１】
0005522695.tif 000002
【図２】
0005522695.tif 000003
【図３】
0005522695.tif 000004
【図４】
0005522695.tif 000005
【図５】
0005522695.tif 000006
【図６】
0005522695.tif 000007
【図７】
0005522695.tif 000008
【図８】
0005522695.tif 000009
【図９】
0005522695.tif 000010
【図１０】
0005522695.tif 000011